(57)【要約】【課題】集合住宅のインターホンシステムにおいて、システム全体のコストを低く抑えつつ各住戸端末のモニタに警報報知動画を表示し、かつ、警報報知動画を画質劣化させることなく遠隔から住戸端末に記憶させる警報報知動画表示インターホンシステムを提供する。【解決手段】警報報知動画表示インターホンシステム１は、映像入力インターフェース付き端末２０と各住戸に配置される複数の住戸端末３０を含んで構成される。映像入力インターフェース付き端末２０の映像入力インターフェース２３に入力されたアナログベースバンドの動画映像信号は、映像入力インターフェース付き端末２０内でディジタル信号に変換して動画圧縮した上で、各住戸端末３０に送信されて記憶される。各住戸端末３０にはディジタル動画圧縮の処理を行なうための構成を設ける必要がない。【選択図】  図１
2004336641.tif 000002
【特許請求の範囲】
【請求項１】
警報報知動画を表すアナログベースバンドの動画映像信号が入力される映像入力インターフェース付き端末と、各住戸に備えられた複数の住戸端末とが伝送路を介して通信する警報報知動画表示インターホンシステムであって、
前記映像入力インターフェース付き端末は、
アナログベースバンドの動画映像信号をディジタル信号に変換するＡ／Ｄ変換部と、
前記Ａ／Ｄ変換部にてディジタル信号に変換された動画映像信号を動画圧縮するエンコーダと、
前記エンコーダにて動画圧縮された動画映像信号を前記伝送路を介して前記住戸端末に送信するディジタル通信インターフェースとを備え、
前記住戸端末は、
前記映像入力インターフェース付き端末のディジタル通信インターフェースから送信された動画映像信号を前記伝送路を介して受信する住戸側のディジタル通信インターフェースと、
前記住戸側のディジタル通信インターフェースにて受信した動画映像信号を記憶する記憶手段と、
外部からの警報報知動画の表示指示および各住戸端末に接続されたセンサの反応の少なくとも一方に基づいて、前記記憶手段に記憶された動画映像信号の読出しを制御する読出制御手段と、
前記読出制御手段にて前記記憶手段から読み出された動画映像信号を動画伸張するデコーダと、
前記デコーダにて動画伸張された動画映像信号をアナログ信号に変換するＤ／Ａ変換部と、
前記Ｄ／Ａ変換部にてアナログ信号に変換された動画映像信号を表示するモニタと
を備えたことを特徴とする警報報知動画表示インターホンシステム。
【請求項２】
前記エンコーダおよび前記デコーダは、それぞれＨ．２６３エンコーダおよびＨ．２６３デコーダであることを特徴とする請求項１に記載の警報報知動画表示インターホンシステム。
【請求項３】
警報報知動画を表すアナログベースバンドの動画映像信号が入力される映像入力インターフェース付き端末にて、
警報報知動画を表すアナログベースバンドの動画映像信号をディジタル信号に変換し、
前記ディジタル信号に変換された動画映像信号を動画圧縮し、
各住戸に備えられた複数の住戸端末に、伝送路を介して前記動画圧縮された動画映像信号を送信し、
前記住戸端末にて、
前記伝送路を介して受信した動画映像信号を記憶手段に記憶し、
外部からの警報報知動画の表示指示および各住戸端末に接続されたセンサの反応の少なくとも一方に基づいて、前記記憶手段に記憶された動画映像信号を動画伸張し、
前記動画伸張された動画映像信号をアナログ信号に変換し、
前記アナログ信号に変換された動画映像信号をモニタに表示する
ことを特徴とする警報報知動画表示方法。
【発明の詳細な説明】
【０００１】
【発明の属する技術分野】
本発明は、警報または報知を示す動画（以下「警報報知動画」という）を各住戸内に設置された住戸端末のモニタに表示するインターホンシステムに関する。
【０００２】
【従来の技術】
マンションなどの集合住宅では、共同玄関に設置されたインターホン子機（以下「共同玄関子機」という。）と各住戸内に設置された複数の住戸端末とが接続されたインターホンシステムが導入されている。このインターホンシステムでは、共同玄関子機にて撮影された来客の映像が、ＮＴＳＣ方式などのアナログ信号の形態で住戸端末に伝送される。アナログの映像信号は、共同玄関子機にて変調されて伝送される。そして、住戸端末は共同玄関子機から伝送されてきたアナログの映像信号を復調してモニタに表示する。
【０００３】
また、各住戸端末は、共同玄関子機にて撮影された来客の映像を表示する他に、外部からの指示または各住戸端末に接続された火災報知器などの警報報知センサの反応に応じて、あらかじめ各住戸端末に記憶された警報報知画像（静止画）をモニタに表示する機能を有している。この機能のために、従来のインターホンシステムでは、カメラにて撮影された警報報知画像がＮＴＳＣ方式などのアナログ信号の形態で各住戸端末に伝送される。住戸端末は、伝送されてきたアナログ映像信号にＡ／Ｄ変換およびＪＰＥＧ変換を施してメモリに記憶する。そして、住戸端末は、警報報知画像の表示指示や警報報知センサの反応に応じて、メモリに記憶された画像データを読出し、ＪＰＥＧ変換およびＤ／Ａ変換を施して、モニタに警報報知画像を表示する。
【０００４】
各住戸にて警報報知画像を表示するインターホンシステムは、例えば、特許文献１に記載されている。
【０００５】
【特許文献１】
特開２００２−７７８９２号公報（第３頁、第１図）
【０００６】
【発明が解決しようとする課題】
しかしながら、上記の従来のインターホンシステムでは、共同玄関子機で撮影された来客の映像がアナログ信号の形態で各住戸端末に伝送されるので、各住戸端末にはアナログ信号をＡ／Ｄ変換して画像圧縮するための処理ブロックが必要となる。
【０００７】
また、従来のインターホンシステムは、警報報知画像、すなわち警報報知の静止画を表示することができるが、警報報知の動画を表示するものではない。仮に、従来のインターホンシステムを用いて動画を表示しようとすると、静止画を連続的に表示することにより動画を表現することになり、この場合、あらかじめ複数のコマ映像を住戸端末に記憶しておかなければならないので多くの格納用のメモリが必要となる。また、この場合には、複数のコマ映像を連続的に表示するためにＪＰＥＧエンコード・デコードの処理能力の高いブロックが必要となる。一方、動画映像のデータ量を少なくするためには、フレーム間相関等に基づいた圧縮処理および伸張処理を行なう必要があるが、仮に、従来のインターホンシステムのＪＰＥＧコーディックに代えて、フレーム間相関等に基づいた画像圧縮・伸張処理を行なう動画コーディックを設けるとすれば、住戸端末内の処理ブロックの規模が大きくなる。
【０００８】
このように、従来のインターホンシステムにて警報報知動画を表示しようとすると、住戸端末には上述した処理ブロックやメモリが必要となり、住戸端末にかかるコストが高くなる。住戸端末にかかるコストが高いと、マンション等の集合住宅のようにシステムが大きくなって住戸端末の数が増えるほどシステム全体のコストが大幅に増加する。
【０００９】
さらに、従来のインターホンシステムでは、アナログ映像信号が伝送のために変調されて、住戸端末側で復調されるので、この変復調の処理によってモニタに表示される映像の画質が劣化する。
【００１０】
本発明は、このような問題を解決するためになされたもので、住戸端末の数が多くなってもシステム全体のコストを低く抑えつつ各住戸端末のモニタに警報報知動画を表示し、かつ、警報報知動画を画質劣化させることなく遠隔から住戸端末に記憶させる警報報知動画表示インターホンシステムを提供するものである。
【００１１】
【課題を解決するための手段】
本発明の警報報知動画表示インターホンシステムは、警報報知動画を表すアナログベースバンドの動画映像信号が入力される映像入力インターフェース付き端末と、各住戸に備えられた複数の住戸端末とが伝送路を介して通信する警報報知動画表示インターホンシステムである。そして、前記映像入力インターフェース付き端末は、アナログベースバンドの動画映像信号をディジタル信号に変換するＡ／Ｄ変換部と、前記Ａ／Ｄ変換部にてディジタル信号に変換された動画映像信号を動画圧縮するエンコーダと、前記エンコーダにて動画圧縮された動画映像信号を前記伝送路を介して前記住戸端末に送信するディジタル通信インターフェースとを備えている。また、前記住戸端末は、前記映像入力インターフェース付き端末のディジタル通信インターフェースから送信された動画映像信号を前記伝送路を介して受信する住戸側のディジタル通信インターフェースと、前記住戸側のディジタル通信インターフェースにて受信した動画映像信号を記憶する記憶手段と、外部からの警報報知動画の表示指示および各住戸端末に接続されたセンサの反応の少なくとも一方に基づいて、前記記憶手段に記憶された動画映像信号の読出しを制御する読出制御手段と、前記読出制御手段にて前記記憶手段から読み出された動画映像信号を動画伸張するデコーダと、前記デコーダにて動画伸張された動画映像信号をアナログ信号に変換するＤ／Ａ変換部と、前記Ｄ／Ａ変換部にてアナログ信号に変換された動画映像信号を表示するモニタとを備えている。
【００１２】
この構成により、映像入力インターフェース付き端末にて映像信号があらかじめディジタル動画圧縮信号とされて、各住戸端末に伝送されるので、各住戸端末にはディジタル動画圧縮を行なうエンコーダやＡ／Ｄ変換部を設ける必要がない。したがって、各住戸端末のコストを低減できるので、住戸数の多いマンションで用いられるインターホンシステムのように、住戸端末の数が多くなっても、システム全体のコストを低く抑えられる。また、警報報知動画が変復調されることがないので、画質の劣化を避けられる。
【００１３】
また、本発明の警報報知動画表示インターホンシステムでは、前記エンコーダおよび前記デコーダは、それぞれＨ．２６３エンコーダおよびＨ．２６３デコーダである。
【００１４】
Ｈ．２６３エンコーダは、特に圧縮率の高い動画圧縮をすることができるので、住戸端末の警報報知動画を記憶するための記憶手段の容量を小さくでき、住戸端末のコストをさらに低減できる。
【００１５】
また、本発明の警報報知動画表示方法は、警報報知動画を表すアナログベースバンドの動画映像信号が入力される映像入力インターフェース付き端末にて、警報報知動画を表すアナログベースバンドの動画映像信号をディジタル信号に変換し、前記ディジタル信号に変換された動画映像信号を動画圧縮し、各住戸に備えられた複数の住戸端末に、伝送路を介して前記動画圧縮された動画映像信号を送信し、前記住戸端末にて、前記伝送路を介して受信した動画映像信号を記憶手段に記憶し、外部からの警報報知動画の表示指示および各住戸端末に接続されたセンサの反応の少なくとも一方に基づいて、前記記憶手段に記憶された動画映像信号を動画伸張し、前記動画伸張された動画映像信号をアナログ信号に変換し、前記アナログ信号に変換された動画映像信号をモニタに表示する。
【００１６】
本発明は、上述したような装置または方法の態様に限定されない。本発明の別の態様は、警報報知動画表示方法をコンピュータに実行させるプログラム、およびそのプログラムを格納した記録媒体である。
【００１７】
【発明の実施の形態】
以下、本発明の実施の形態について、図面を用いて説明する。
【００１８】
図１は、本発明の実施の形態の警報報知動画表示インターホンシステムのブロック図である。
【００１９】
図１に示すように、警報報知動画表示インターホンシステム１は、制御装置１０、映像入力インターフェース付き端末２０、複数の住戸端末３０および各住戸端末３０に接続されたセンサ４０を含んで構成される。制御装置１０、映像入力インターフェース付き端末２０および複数の住戸端末３０は、伝送路５０を介して互いに通信可能に接続されている。制御装置１０は、警報報知動画表示インターホンシステム１の全体を制御する。警報報知動画表示インターホンシステム１が集合住宅のインターホンシステムとして用いられるときは、典型的には制御装置１０は管理室などに配置され、映像入力インターフェース付き端末２０は共同玄関に配置され、複数の住戸端末３０は各住戸内に配置される。
【００２０】
映像入力インターフェース付き端末２０は、カメラユニット２１、ＮＴＳＣ入力端子２２、映像入力インターフェース２３、Ａ／Ｄ変換部２４、Ｈ．２６３エンコーダ２５、ＣＰＵ２６およびディジタル通信インターフェース２７を備えている。カメラユニット２１は、被写体の動画を撮影してアナログベースバンドの動画映像信号、すなわち非圧縮かつ無変調のアナログ映像信号を生成する。ＮＴＳＣ入力端子２２は、動画を表すＮＴＳＣ方式の映像信号を外部機器から取り込む。ＮＴＳＣ方式の動画映像信号は、アナログベースバンドの映像信号である。カメラユニット２１にて生成された動画映像信号およびＮＴＳＣ入力端子２２にて取り込んだ動画映像信号は、映像入力インターフェース２３に入力される。なお、映像入力インターフェース付き端末２０は、カメラユニット２１およびＮＴＳＣ入力端子２３のいずれかのみを備えたものであってもよい。
【００２１】
Ａ／Ｄ変換部２４は、ＣＰＵ２６からの制御信号に基づいて、映像入力インターフェース２３に入力された動画映像信号をディジタル信号に変換する。これにより、動画映像信号は、ディジタル映像信号になる。Ｈ．２６３エンコーダ２５は、ＣＰＵ２６からの制御信号に基づいて、Ａ／Ｄ変換部２４にてディジタル信号に変換された動画映像信号を動画圧縮する。ディジタル通信インターフェース２７は、ＣＰＵ２６からの制御信号に基づいて、Ｈ．２６３エンコーダ２５にて動画圧縮された動画映像信号を伝送路５０を介して住戸端末に送信する。ディジタル通信インターフェース２７は、図示しないマイクロフォンユニットに入力された音声の通信およびシステム制御のための通信も行なうよう構成されてもよい。ＣＰＵ２６は、Ａ／Ｄ変換部２４、Ｈ．２６３エンコーダ２５およびディジタル通信インターフェース２７に、上記の各制御信号を与えると共に、入力映像インターフェース付き端末２０内の全体を制御する。
【００２２】
各住戸端末３０は、ディジタル通信インターフェース３１、メモリ３２、切替部３３、Ｈ．２６３デコーダ３４、Ｄ／Ａ変換部３５、モニタユニット３６、ＣＰＵ３７およびセンサインターフェース３８を備えている。各住戸には、火災報知器などのセンサ４０が備えられており、センサ４０は住戸端末のセンサインターフェース３８に接続されている。なお、図１では、センサ４０が一つだけ図示されているが、各住戸には複数のセンサ４０が設けられ、それぞれがセンサインターフェース３８に接続される。
【００２３】
ディジタル通信インターフェース３１は、映像入力インターフェース付き端末２０から伝送されてきた動画映像信号や音声を受信する。ディジタル通信インターフェース３１は、ＣＰＵ３７からの制御信号に基づいて、システム制御のための通信も行なう。メモリ３２は、ディジタル通信インターフェース３１にて受信した動画映像信号を記憶する。メモリ３２では、警報報知動画を示す複数の動画映像信号の各々が、火災の発生、水漏れの発生、宅配預かりなどの各イベントに対応づけられて記憶されている。
【００２４】
切替部３３は、ディジタル通信インターフェース３１にて受信した動画映像信号をＣＰＵ３７に通してメモリ３２に記憶させるか、メモリ３２に記憶された動画映像信号をＣＰＵ３７からＨ２６３．デコーダ３４に通すかの切替えを行なう。ＣＰＵ３７は、切替部３３からの動画映像信号の入力および切替部３３への動画映像信号の出力を制御する。ＣＰＵ３７は、さらに、メモリ３２への動画映像信号の書込みおよびメモリ３２からの動画映像信号の読出しを制御する。また、ＣＰＵ３７は、センサインターフェース３８からの入力やディジタル通信インターフェース３１にて受信した制御装置１０からの指示に基づいて、上記の入出力制御および書込読出制御を行なう。ＣＰＵ３７は、ディジタル通信インターフェース３１を介して制御装置１０や映像入力インターフェース付き端末２０との通信を行ないつつ住戸端末３０内の全体を制御する。
【００２５】
Ｈ．２６３デコーダ３４は、切替部３３から入力された動画映像信号を動画伸張する。Ｄ／Ａ変換部３５は、Ｈ．２６３デコーダ３４から入力された動画映像信号をアナログ信号に変換する。モニタユニット３６は、Ｄ／Ａ変換部３５にてアナログ信号に変換された動画映像信号を表示する。
【００２６】
以上のように構成された警報報知動画表示インターホンシステムの動作を説明する。以下では、まず、映像入力インターフェース付き端末２０にて得たアナログベースバンドの動画映像信号を住戸端末３０のメモリ３２に記憶させる動作（警報報知動画の登録）を説明する。その後に、メモリに記憶された動画映像をモニタユニット３６に表示させる動作（警報報知動画の表示）を説明する。
【００２７】
（警報報知動画の登録）
図２は、警報報知動画の登録処理を示すフローチャートである。警報報知動画を登録するときには、まず、カメラユニット２１によって警報報知動画を撮影するか、ＮＴＳＣ入力端子２２に接続された外部の装置から警報報知動画の入力を受ける。映像入力インターフェース２３はＣＰＵ２６からの制御信号に基づいて、カメラユニット２１の撮影で得られた警報報知動画を示す動画映像信号または外部の機器からＮＴＳＣ入力端子２２に入力された警報報知動画を示すＮＴＳＣ方式の動画映像信号を取り込む（ステップ１１）。映像入力インターフェース２３に入力される動画映像信号はアナログベースバンドの映像信号、すなわち圧縮や変調が施されていないアナログ信号である。
【００２８】
動画映像信号は、映像入力インターフェース２３からＡ／Ｄ変換部２４に出力される。Ａ／Ｄ変換部２４は、ＣＰＵ２６からの制御信号に基づいて、動画映像信号をアナログからディジタルに変換する（ステップ１２）。ディジタル信号となったの動画映像信号は、Ｈ．２６３エンコーダ２５に出力される。Ｈ．２６３エンコーダ２５は、ＣＰＵ２６からの制御信号に基づいて、動画映像信号を動画圧縮する（ステップ１３）。ディジタル通信インターフェース２７は、圧縮された動画映像信号をＣＰＵ２６からの制御信号に基づいて住戸端末３０に送信する（ステップ１４）。
【００２９】
住戸端末３０のディジタル通信インターフェース３１は、映像入力インターフェース付き端末２０から伝送されてきた動画映像信号を受信する（ステップ１５）。ディジタル通信インターフェース３１は、さらに、伝送されてきた動画映像信号をメモリに記憶する指示と、その動画映像信号が示すイベントの内容（火災の発生、ガス漏れ、宅配預かりなど）の情報を含む制御信号を映像入力インターフェース付き端末２０もしくは制御装置１０から受信する（ステップ１５）。動画映像信号は切替部３３に出力され、制御信号はＣＰＵ３７に出力される。ＣＰＵ３７は、制御信号に基づいて、切替部３３の動画映像信号を取り込んで、その動画映像信号をメモリ３２に書き込む（ステップ１６）。その際に、ＣＰＵ３７は制御信号に含まれるイベントの内容と対応づけて動画映像信号をメモリ３２の記憶領域に記憶させる。
【００３０】
この警報報知動画の登録処理によって、各住戸端末３０のメモリ３２に新たな警報報知動画の動画映像信号を記憶させたり、既にメモリ３２に記憶されている警報報知動画の動画映像信号を新たに更新したりできる。
【００３１】
（警報報知動画の表示）
図３は、警報報知動画の表示処理を示すフローチャートである。各住戸には、火災を感知するセンサ（火災感知器）、ガスを検知するセンサ（ガス検知器）、水漏れを感知するセンサなどが設けられており、窓、玄関などに防犯のためのセンサが設けられており、さらに浴室やトイレなどにボタンの押下を感知するセンサ（コールスイッチ）が設けられている。これらのセンサ４０はセンサインターフェース３８に接続されている。センサ４０の反応はセンサインターフェース３８を通じてＣＰＵ３７に伝えられる（ステップ２１）。また、ディジタル通信インターフェース３１は、制御装置１０から所定の警報報知動画をモニタにて表示するための指示を受信する。この指示はディジタル通信インターフェース３１からＣＰＵ３７に送られる（ステップ２１）。制御装置１０からの指示は、例えばマンションの管理人からのメッセージを表示する指示である。
【００３２】
ＣＰＵ３７は、センサ４０の反応または制御装置１０からの指示を受けると、メモリ３２からそれらの反応または指示に対応する動画映像信号を読み出して、切替部３３に出力する（ステップ２２）。切替部３３は、動画映像信号をＨ．２６３デコーダ３４に出力する。Ｈ．２６３デコーダ３４は、動画映像信号を動画伸張して（ステップ２３）、Ｄ／Ａ変換部３５に出力する。Ｄ／Ａ変換部３５は、動画映像信号をディジタルからアナログに変換して（ステップ２４）、アナログ信号となった動画映像信号をモニタユニット３６に出力する。モニタユニット３６は、動画映像信号を画面上に表示する（ステップ２５）。
【００３３】
この警報報知動画の表示処理によって、住居人はいずれかのセンサ４０が反応したことや管理人からのメッセージをモニタユニット３５に表示される動画映像で見ることができる。
【００３４】
以上説明したように、本実施の形態の警報報知動画表示インターホンシステム１では、映像入力インターフェース付き端末２０のカメラユニット２１やＮＴＳＣ入力端子２２にて得られたアナログベースバンドの動画映像信号が住戸端末３０のメモリ３２に記憶されるまでの間に変調および復調の処理を受けることがない。したがって、アナログの動画映像信号を変復調することによる動画映像の画質劣化を避けられる。また、メモリ３２に記憶すべき動画映像信号は、映像入力インターフェース付き端末２０のＡ／Ｄ変換部２４およびＨ．２６３エンコーダ２５にてあらかじめディジタル動画圧縮された上で各住戸端末３０に伝送されるので、各住戸端末３０には動画映像信号をディジタル信号に変換して動画圧縮するための構成が不要となる。したがって、住戸端末３０の数が多い場合にもシステム全体のコストを低く抑えられ、各住戸端末３０のメモリ３２に動画映像信号を記憶させるために規模の大きい動画圧縮のブロックおよび動画伸張のブロックを使用したとしても、コストの大幅な増加を避けられる。
【００３５】
なお、上記の例では、映像入力インターフェース付き端末２０はマンションの共同玄関に配置されたが、配置場所はこれに限られない。また、映像入力インターフェース付き端末２０はカメラユニット２１とＮＴＳＣ入力端子２２のいずれかのみを備えるものであってもよい。例えば、映像入力インターフェース付き端末２０が管理室、ＭＤＦ（Ｍａｉｎ  Ｄｉｓｔｒｉｂｕｔｉｏｎ  Ｆｒａｍｅ）または廊下に配置され、監視映像用のアダプターとして用いられてもよい。映像入力インターフェース付き端末２０のカメラユニット１１は、配置場所に応じて、来客映像、監視映像、掲示映像または警報報知映像を撮影する。また、制御装置１０の配置場所も適宜に変更可能である。制御装置１０は、例えばＭＤＦに設置されてもよい。
【００３６】
また、上記の例では、動画映像信号を圧縮および伸張するブロックとして、Ｈ．２６３エンコーダおよびＨ．２６３デコーダを用いたが、動画映像信号を圧縮および伸張するブロックはこれに限られない。動画映像信号は、例えば、ＭＰＥＧ４やＭｏｔｉｏｎＪＰＥＧなどの方式で圧縮されてもよい。ただし、Ｈ．２６３エンコーダによれば、特に高い圧縮率で動画映像信号を圧縮できるので、各住戸端末３０に備えるメモリ３２の容量を小さくすることができ、この点からもシステム全体のコストを削減できる。
【００３７】
【発明の効果】
以上説明したように、本発明は、警報報知動画を示すアナログ映像信号を映像入力インターフェース付き端末にてディジタル圧縮した上で複数の住戸端末に伝送する構成としたことにより、システム全体にかかるコストを低く抑えられ、かつ警報報知動画の画質劣化を避けられるというすぐれた効果を有する警報報知動画表示インターホンシステムを提供することができる。
【図面の簡単な説明】
【図１】本発明の実施の形態の警報報知動画表示インターホンシステムのブロック図
【図２】本発明の実施の形態の警報報知動画の登録処理を示すフローチャート
【図３】本発明の実施の形態の警報報知動画の表示処理を示すフローチャート
【符号の説明】
１  警報報知動画表示インターホンシステム
２０  映像入力インターフェース付き端末
２３  映像入力インターフェース
２４  Ａ／Ｄ変換部
２５  Ｈ．２６３エンコーダ
２７  ディジタル通信インターフェース
３０  住戸端末
３１  ディジタル通信インターフェース
３２  メモリ
３３  切替部
３４  Ｈ．２６３デコーダ
３５  Ｄ／Ａ変換部
３６  モニタユニット
４０  センサ
【図１】
2004336641.tif 000003
【図２】
2004336641.tif 000004
【図３】
2004336641.tif 000005